(57)【要約】【課題】アナログフィルタの特性を調整するためのフィルタ調整方法及びフィルタ調整装置並びにフィルタ回路に関し、簡単な構成で自動調整が行なえるフィルタ調整方法及びフィルタ調整装置並びにフィルタ回路を提供することを目的とする。【解決手段】本発明は、アナログフィルタ（１１１）の特性を調整するフィルタ調整方法において、アナログフィルタ（１１１）に擬似ランダムビットパターンを供給し、アナログフィルタ（１１１）の出力と擬似ランダムパターンとの相互相関値を算出し、算出した相互相関値に基づいてアナログフィルタの特性を調整することを特徴とする。【選択図】図１
2007142755.tif 000002
【特許請求の範囲】
【請求項１】
アナログフィルタの特性を調整するフィルタ調整方法において、
前記アナログフィルタに擬似ランダムビットパターンを供給し、
前記アナログフィルタの出力と前記擬似ランダムビットパターンとの相互相関値を算出し、
前記相互相関値に基づいて前記アナログフィルタの特性を調整することを特徴とするフィルタ調整方法。
【請求項２】
前記相互相関値は、前記アナログフィルタの出力と前記擬似ランダムパターンと排他的論理和の出力であることを特徴とする請求項１記載のフィルタ調整方法。
【請求項３】
アナログフィルタの特性を調整するフィルタ調整装置において、
前記アナログフィルタに擬似ランダムビットパターンを供給する擬似ランダムビットパターン生成部と、
前記アナログフィルタの出力と前記擬似ランダムビットパターン生成部で生成された擬似ランダムビットパターンとの相互相関値を算出する相互相関値算出回路と、
前記相互相関値に基づいて前記アナログフィルタの特性を調整する調整部とを有することを特徴とするフィルタ調整装置。
【請求項４】
前記相互相関値算出回路は、アナログフィルタの出力と前記擬似ランダムビットパターン生成部で生成された擬似ランダムビットパターンを論理演算する論理回路と、前記論理回路の出力をカウントするカウンタとを有し、
前記調整部は、前記カウンタのカウント値に基づいて前記アナログフィルタの特性を調整することを特徴とする請求項３記載のフィルタ調整装置。
【請求項５】
前記論理回路は、前記アナログフィルタの出力と前記擬似ランダムビットパターンと排他的論理和を演算することを特徴とする請求項４記載のフィルタ調整装置。
【請求項６】
入力端に供給された入力信号のうち所望の周波数成分を除去又は通過させて出力端より出力するアナログフィルタと、
前記アナログフィルタの入力端に擬似ランダムビットパターンを供給する擬似ランダムビットパターン生成部と、
前記アナログフィルタの出力端から出力される出力信号と前記擬似ランダムビットパターンとの相互相関値を算出する相互相関値算出回路と、
前記相互相関値に基づいて前記アナログフィルタの特性を調整する調整部とを有することを特徴とするフィルタ回路。
【請求項７】
前記相互相関値算出回路は、アナログフィルタの出力と前記擬似ランダムビットパターン生成部で生成された擬似ランダムビットパターンを論理演算する論理回路と、前記論理回路の出力をカウントするカウンタとを有し、
前記調整部は、前記カウンタのカウント値に基づいて前記アナログフィルタの特性を調整することを特徴とする請求項６記載のフィルタ回路。
【請求項８】
前記論理回路は、前記アナログフィルタの出力と前記擬似ランダムビットパターンと排他的論理和を演算することを特徴とする請求項７記載のフィルタ回路。
【発明の詳細な説明】
【技術分野】
【０００１】
本発明はフィルタ調整方法及びフィルタ調整装置並びにフィルタ回路に係り、特に、アナログフィルタの特性を調整するためのフィルタ調整方法及びフィルタ調整装置並びにフィルタ回路に関する。
【背景技術】
【０００２】
通信などの電子装置では、所望の周波数帯域の信号を通過させためにアナログフィルタが多用されている。近年、装置の小型化などの要求に伴って、アナログフィルタを半導体チップ上に搭載する必要に迫られている。
【０００３】
従来、アナログフィルタには、構成部品のパラメータのばらつきなどによって、調整作業が必要となる。アナログフィルタの周波数特性などの調整は外付け部品などによって調整されるのが通常であった。外付けキャパシタンスなどによってアナログフィルタの調整を行なう場合、調整用キャパシタンスを接続するための端子を設ける必要があり、チップが大型になる。このため、アナログフィルタと同一半導体チップ上にフィルタの周波数特性を自動調整する自動調整回路を搭載する要求がある。
【０００４】
一方、従来、自動調整作業は、例えば、基準信号をフィルタに入力し、基準信号とフィルタの出力とを位相比較し、位相比較結果に基づいてフィルタの伝達関数の制御することにより行なわれていた（例えば、特許文献１参照）。
【特許文献１】特開平３−１１４３９１号公報
【発明の開示】
【発明が解決しようとする課題】
【０００５】
しかるに、従来のフィルタの調整方法では、位相比較、ループフィルタ、ＤＣアンプなどが全てアナログ回路であり、回路自体のばらつきがフィルタの周波数特性に影響するなどの課題があった。調整の精度を向上させるためには、調整処理をディジタル化する方法が考えられる。しかしながら、ディジタル化した場合に、ＡＤ変換器、ＤＡ変換器が必要となるとともに、精度を上げるにはビット数を多くする必要がある。このため、回路規模が大きくなり、フィルタと同一チップ上に調整回路を搭載するとチップが大型化するため、採用できなかった。
【０００６】
本発明は上記の点に鑑みてなされたもので、簡単な構成で自動調整が行なえるフィルタ調整方法及びフィルタ調整装置並びにフィルタ回路を提供することを目的とする。
【課題を解決するための手段】
【０００７】
本発明は、アナログフィルタ（１１１）の特性を調整するフィルタ調整方法において、アナログフィルタ（１１１）に擬似ランダムビットパターンを供給し、アナログフィルタ（１１１）の出力と擬似ランダムパターンとの相互相関値を算出し、算出した相互相関値に基づいてアナログフィルタの特性を調整することを特徴とする。相互相関値は、アナログフィルタ（１１１）の出力と擬似ランダムパターンと排他的論理和の出力であることを特徴とする。
【０００８】
また、本発明は、アナログフィルタ（１１１）の特性を調整するフィルタ調整装置において、アナログフィルタ（１１１）に擬似ランダムビットパターンを供給する擬似ランダムビットパターン生成部（１３１）と、アナログフィルタ（１１１）の出力と擬似ランダムパターンとの相互相関値を算出する相互相関値算出回路（１３２、１３３、１３４）と、前記相互相関値に基づいて前記アナログフィルタの特性を調整する調整部（１３５）とを有することを特徴とする。相互相関値算出回路（１３２、１３３、１３４）は、アナログフィルタの出力と擬似ランダムビットパターン生成部（１３１）で生成された擬似ランダムビットパターンを論理演算する論理回路（１３２、１３３）と、論理回路（１３２、１３３）の出力をカウントするカウンタ（１３４）とを有し、調整部（１３５）はカウンタ（１３４）のカウント値に基づいてアナログフィルタの特性を調整することを特徴とする。相互相関値算出回路（１３２、１３３、１３４）は、アナログフィルタの出力と擬似ランダムパターンと排他的論理和を演算することを特徴とする。
【０００９】
さらに、本発明は、入力端（Ｔin)に供給された入力信号のうち所望の周波数成分を除去又は通過させて出力端（Ｔout）より出力するアナログフィルタ（１１１）と、アナログフィルタ（１１１）の入力端（Ｔin）に擬似ランダムビットパターンを供給する擬似ランダムビットパターン生成部（１３１）と、アナログフィルタ（１１１）の出力端（Ｔout）から出力される出力信号と擬似ランダムパターンとの相互相関値を算出する相互相関値算出回路（１３２、１３３、１３４）と、相互相関値に基づいてアナログフィルタ（１１１）の特性を調整する調整部（１３５）とを有することを特徴とする。相互相関値算出回路（１３２、１３３、１３４）は、アナログフィルタの出力と擬似ランダムビットパターン生成部（１３１）で生成された擬似ランダムビットパターンを論理演算する論理回路（１３２、１３３）と、論理回路（１３２、１３３）の出力をカウントするカウンタ（１３４）とを有し、調整部（１３５）はカウンタ（１３４）のカウント値に基づいてアナログフィルタの特性を調整することを特徴とする。
【００１０】
論理回路（１３２、１３３）は、アナログフィルタ（１１１）の出力と擬似ランダムビットパターンと排他的論理和を演算することを特徴とする。
【００１１】
なお、上記参照符号はあくまでも参考であり、これによって特許請求の範囲を限定しようとするものではない。
【発明の効果】
【００１２】
本発明によれば、アナログフィルタの出力と擬似ランダムパターンとの相互相関値を算出し、算出した相互相関値に基づいてアナログフィルタの特性を調整することにより、アナログフィルタの出力をディジタル化することなく、アナログフィルタの特性を評価し、調整することができる。このため、アナログフィルタと同一の半導体チップ上に調整回路を搭載することが可能となる。
【発明を実施するための最良の形態】
【００１３】
〔システム構成〕
図１は本発明の一実施例のシステム構成図を示す。
【００１４】
本実施例のフィルタ回路１００は、アナログフィルタ１１１及び自動調整回路１１２から構成されている。
【００１５】
アナログフィルタ１１１は、入力端Ｔinに供給された入力信号のうち所望の周波数成分を除去又は通過させて出力端Ｔoutより出力する。
【００１６】
自動調整回路１１２は、アナログフィルタ１１１の特性を自動調整するための回路であり、アナログフィルタ１１１の出力と擬似ランダムパターンとの相互相関値を算出し、算出した相互相関値に基づいてアナログフィルタの特性を調整する。自動調整回路１１２は擬似ランダムビットパターン生成部１３１、インバータ１３２、論理回路１３３、カウンタ１３４、調整部１３５、スイッチ１３６、１３７、制御部１３８から構成される。
【００１７】
擬似ランダムコード生成部１３１は、アナログフィルタ１１１の入力端Ｔinに擬似ランダムコードを供給する。擬似ランダムコード生成部１３１で生成される擬似ランダムコードは、例えば、Ｂａｒｋｅｒ系列コード、Ｍ系列コード、Ｇｏｌｄ系列コード、Ｋａｓａｍｉ系列コードなどである。なお、擬似ランダムコード生成部１３１で生成される擬似ランダムコードは、種々の周波数成分を含むコードであれば、これらの系列のコードに限定されるものではない。
【００１８】
擬似ランダムコード生成部１３１で生成された擬似ランダムコードは、スイッチ１３６を介してアナログフィルタ１１１の入力端子Ｔinに供給されるとともに、インバータ１３２に供給される。インバータ１３２は、擬似ランダムコード生成部１３１で生成された擬似ランダムコードの論理を反転して論理回路１３３に供給する。
【００１９】
論理回路１３３は、排他的論理和回路（ＥＸＯＲ）から構成されており、アナログフィルタ１１１の出力端Ｔoutから出力される出力信号と擬似ランダムコード生成部１３１で生成された擬似ランダムコードとの排他的論理和を出力する。
【００２０】
カウンタ１３４は、論理回路１３３の論理出力「１」をカウントする。調整部１３５は、カウンタ１３４のカウント値に基づいてアナログフィルタ１１１の特性を調整する。
【００２１】
スイッチ１３６は、擬似ランダムコード生成部１３１及び入力ポートＰinとアナログフィルタ１１１の入力端子Ｔinとの間に設けられており、制御部１３８により調整時には実線で示されるように入力ポートＰinとの接続を切断して、アナログフィルタ１１１の入力端子Ｔinに擬似ランダムコード生成部１３１で生成された擬似ランダムコードが供給されるようにスイッチングされ、通常動作時に破線で示されるようにアナログフィルタ１１１の入力端子Ｔinと擬似ランダムコード生成部１３１との接続を切断し、アナログフィルタ１１１の入力端子Ｔinと入力ポートＰinとが接続されるようにスイッチングされる。
【００２２】
スイッチ１３７は、出力ポートＰoutとアナログフィルタ１１１の出力端子Ｔoutとの間に設けられており、制御部１３８により調整時にアナログフィルタ１１１の出力端子Ｔoutを出力ポートＰoutから切り離し、論理回路１３３と接続し、通常動作時にアナログフィルタ１１１の出力端子Ｔoutを出力ポートＰoutに接続するようにスイッチングされる。
【００２３】
また、制御部１３８は、制御ポートＰcntに供給される調整制御信号に応じてスイッチ１３６、１３７、及び、調整部１３５の動作を制御する。
【００２４】
〔調整部１３５〕
調整部１３５は、引算部１４１、基準値供給部１４２、パラメータ変換テーブル１４３、パラメータレジスタ１４４から構成される。
【００２５】
引算部１４１は、カウンタ１３４から供給されるカウント値から基準値供給部１４２から供給される基準値を引算する。なお、引算部１４１の引算結果は、基準値からの誤差値である。引算部１４１の出力値は、パラメータ変換テーブル１４３及び制御部１３８に供給される。
【００２６】
パラメータ変換テーブル１４３には、基準値からの誤差値に対応したパラメータ値が予め格納されている。パラメータ値は、例えば、６ビットのビット列から構成とされている。パラメータ変換テーブル１４３は、引算部１４１の出力値に対応したパラメータ値をパラメータレジスタ１４４に出力する。
【００２７】
パラメータレジスタ１４４は、パラメータ変換テーブル１４３から供給されたパラメータ値を格納する。パラメータレジスタ１４４に格納されたパラメータ値は、アナログフィルタ１１１にパラレルに出力される。
【００２８】
〔アナログフィルタ１１１〕
図２はアナログフィルタ１１１のブロック構成図を示す。
【００２９】
アナログフィルタ１１１は、第１〜第３アクティブフィルタ回路部１５１〜１５３を直列接続した構成とされており、ローパスフィルタを構成している。第１アクティブフィルタ回路部１５１には可変容量回路Ｃ11、Ｃ12、第２アクティブフィルタ回路部１５２には可変容量回路Ｃ21、Ｃ22、第３アクティブフィルタ回路部１５３には可変容量回路Ｃ31、Ｃ32から構成されている。
【００３０】
アナログフィルタ１１１は、可変容量回路Ｃ11、Ｃ12、Ｃ21、Ｃ22、Ｃ31、Ｃ32の容量を制御することにより周波数特性が調整可能とされている。
【００３１】
図３は可変容量回路Ｃ11の回路構成図を示す。
【００３２】
可変容量回路Ｃ11は、例えば、７つのキャパシタＣ110〜Ｃ116、スイッチ１７１〜１７６から構成されている。
【００３３】
キャパシタＣ111はその容量が例えば３２ｐＦであり、スイッチ１７１に直列に接続され、キャパシタＣ112はその容量が例えば１６ｐＦであり、スイッチ１７２に直列に接続され、キャパシタＣ113はその容量が例えば８ｐＦであり、スイッチ１７３に直列に接続され、キャパシタＣ114はその容量が例えば４ｐＦであり、スイッチ１７４に直列に接続され、キャパシタＣ115はその容量が例えば２ｐＦであり、スイッチ１７５に直列に接続され、キャパシタＣ116はその容量が例えば１ｐＦであり、スイッチ１７６に直列に接続されている。
【００３４】
キャパシタＣ110は、例えば、容量が３６ｐＦであり、キャパシタＣ111とスイッチ１７１との直列回路、キャパシタＣ112とスイッチ１７２との直列回路、キャパシタＣ113とスイッチ１７３との直列回路、キャパシタＣ114とスイッチ１７４との直列回路、キャパシタＣ115とスイッチ１７５との直列回路、キャパシタＣ116とスイッチ１７６との直列回路の並列に接続されている。
【００３５】
スイッチ１７１は、制御端子Ｔcntに供給される６ビットのパラメータ値のうち第１ビット目の値が供給され、第１ビット目の値が「１」のときにオンし、第１ビット目の値が「０」のときにオフする。スイッチ１７２は、制御端子Ｔcntに供給される６ビットのパラメータ値のうち第２ビット目の値が供給され、第２ビット目の値が「１」のときにオンし、第２ビット目の値が「０」のときにオフする。
【００３６】
スイッチ１７３は、制御端子Ｔcntに供給される６ビットのパラメータ値のうち第３ビット目の値が供給され、第３ビット目の値が「１」のときにオンし、第３ビット目の値が「０」のときにオフする。スイッチ１７４は、制御端子Ｔcntに供給される６ビットのパラメータ値のうち第４ビット目の値が供給され、第４ビット目の値が「１」のときにオンし、第４ビット目の値が「０」のときにオフする。
【００３７】
スイッチ１７５は、制御端子Ｔcntに供給される６ビットのパラメータ値のうち第５ビット目の値が供給され、第５ビット目の値が「１」のときにオンし、第５ビット目の値が「０」のときにオフする。スイッチ１７６は、制御端子Ｔcntに供給される６ビットのパラメータ値のうち第６ビット目の値が供給され、第６ビット目の値が「１」のときにオンし、第４ビット目の値が「０」のときにオフする。
【００３８】
例えば、パラメータ値が「１１００１１」のときには、スイッチ１７１、１７２、１７５、１７６がオンし、スイッチ１７３、１７４がオフする。これによって、可変容量回路Ｃ11の容量は、キャパシタＣ110、Ｃ111、Ｃ112、Ｃ115、Ｃ116が並列に接続された容量となる。また、パラメータ値が「１０１０１０」のときには、スイッチ１７１、１７３、１７５がオンし、スイッチ１７２、１７４、１７６がオフする。
【００３９】
以上により、パラメータレジスタ１４４に格納されたパラメータ値によりキャパシタＣ11の容量を変えることができる。なお、可変容量回路Ｃ12、Ｃ21、Ｃ22、Ｃ31、Ｃ32は上記可変容量回路Ｃ11と同様な構成とされており、パラメータレジスタ１４４に格納されたパラメータ値によりその容量を代えることができる構成とされている。
【００４０】
〔調整動作〕
次に調整動作について説明する。
【００４１】
図４は制御部１３８の調整動作フローチャート、図５は本発明の一実施例の動作波形図を示す。なお、図５（Ａ）はＢａｒｋｅｒ系列コード、図５（Ｂ）はＢａｒｋｅｒ系列コードに対するアナログフィルタ１１１の出力波形、図５（Ｃ）は論理回路１３３の出力波形を示している。
【００４２】
制御部１３８はステップＳ１−１でパラメータ変換テーブル１４３を制御して、パラメータ変換テーブル１４３から初期値をパラメータレジスタ１４４にセットする。
【００４３】
制御部１３８は、ステップＳ１−２でスイッチ１３６を擬似ランダムコード生成部１３１の出力がアナログフィルタ１１１の入力端子Ｔinに供給されるように切り替えるとともに、スイッチ１３７をアナログフィルタ１１１の出力端子Ｔoutが論理回路１３３に供給されるように切り替える。制御部１３８は、ステップＳ１−３でカウンタ１３４の出力を「０」にリセットする。
【００４４】
制御部１３８は、ステップＳ１−４で擬似ランダムコード生成部１３１を起動する。擬似ランダムコード生成部１３１は、制御部１３８に起動された擬似ランダムコードを発生する。擬似ランダムコード生成部１３１で生成された擬似ランダムコードは、スイッチ１３６を介してアナログフィルタ１１１の入力端子Ｔinに供給されるとともに、インバータ１３２で反転された後、論理回路１３３に供給される。アナログフィルタ１１１の入力端子Ｔinには、例えば、図５（Ａ）に示すようなＢａｒｋｅｒ系列コードが供給される。
【００４５】
アナログフィルタ１１１を通ったＢａｒｋｅｒ系列コードは、アナログフィルタ１１１に設定された周波数特性によって例えば、図５（Ｂ）に示すような波形となる。
【００４６】
アナログフィルタ１１１を通った図５（Ｂ）に示すような波形は、論理回路１３３に供給される。論理回路１３３はＢａｒｋｅｒ系列コードを反転した信号とアナログフィルタ１１１の出力信号との排他的論理を出力する。論理回路１３３の出力は、例えば、図５（Ｃ）に示すように所定のサンプリング周波数毎に「１」または「０」となる出力となる。カウンタ１３４は、図５（Ｃ）に示す論理回路１３３の出力論理「１」をカウントする。
【００４７】
制御部１３８は、ステップＳ１−５で擬似ランダムコードを予め設定された回数であるＮ回発生したか否かを判定する。制御部１３８は、ステップＳ１−５で擬似ランダムコードをＮ回発生すると、ステップＳ１−６で擬似ランダムコード生成部１３１を制御して、擬似ランダムコードの生成を停止する。
【００４８】
制御部１３８はステップＳ１−７でカウンタ１３４及び基準値供給部１４２を制御して、カウンタ１３４のカウント値と基準値供給部１４２の基準値とを差分である誤差値を算出する。制御部１３８はステップＳ１−８で誤差値が許容範囲内である場合には、ステップＳ１−９でアナログフィルタ１１１の調整は不要であると判断して、ステップＳ１−９でスイッチ１３６を入力ポートＰinがアナログフィルタ１１１の入力端子Ｔinに接続されるように切り替えるとともに、アナログフィルタ１１１の出力端子Ｔoutが出力ポートＰoutに接続されるように切り替える。
【００４９】
また、制御部１３８は、ステップＳ１−８で誤差値が許容範囲外である場合には、ステップＳ１−１０で誤差値をパラメータ変換テーブル１４３に供給し、誤差値に応じた６ビットのパラメータ値をパラメータレジスタ１４４にセットして、ステップＳ１−３に戻って再びアナログフィルタ１１１の周波数特性を調整する。
【００５０】
なお、パラメータ値がパラメータレジスタ１４４にセットされることにより、アナログフィルタ１１１の可変容量回路Ｃ11、Ｃ12、Ｃ21、Ｃ22、Ｃ31、Ｃ32の容量がパラメータレジスタ１４４にセットされたパラメータ値に応じた容量となる。これによって、アナログフィルタ１１１の周波数特性が変化する。
【００５１】
制御部１３８は、ステップＳ１−３〜Ｓ１−８を誤差値が許容範囲内となるまで繰り返す。
【００５２】
図６はアナログフィルタ１１１のカットオフ周波数とカウンタ１３４のカウント値との関係の一例を示す図である。
【００５３】
カウンタ１３４のカウント値が、例えば、図６に示すようにカットオフ周波数６．９８ＭＨｚ、６．９９ＭＨｚで「３１９」、カットオフ周波数７．０１ＭＨｚ、７．０２ＭＨｚで「３５１」となり、カットオフ周波数７．００ＭＨｚで「３３５」となるとする。
【００５４】
このとき、アナログフィルタ１１１のカットオフ周波数を７．００ＭＨｚに設定しようとする場合、基準値供給部１４２から引算部１４１に供給される基準値を「３３５」に設定する。カットオフ周波数が６．９８ＭＨｚ、６．９９ＭＨｚの周波数特性であれば、カウント値が３１９となるので、引算部１４１の出力である誤差値は３１９−３３５＝−１４となる。また、７．０１ＭＨｚ、７．０２ＭＨｚの周波数特性であれば、カウント値が３５１となるので、引算部１４１の出力である誤差値は３５１−３３５＝１６となる。
【００５５】
誤差値がマイナスであれば、アナログフィルタ１１１のカットオフ周波数が上がる方向に可変容量回路Ｃ11、Ｃ12、Ｃ21、Ｃ22、Ｃ31、Ｃ32の容量が変化するようにパラメータ値が選択され、誤差値がプラスであれば、アナログフィルタ１１１のカットオフ周波数が下がる方向に可変容量回路Ｃ11、Ｃ12、Ｃ21、Ｃ22、Ｃ31、Ｃ32の容量が変化するようにパラメータ値が選択される。
【００５６】
〔効果〕
本実施例によれば、アナログフィルタ１１１の出力をディジタル化することなく、アナログフィルタ１１１の周波数特性を評価でき、その結果に基づいてアナログフィルタ１１１のパラメータを調整することができる。このため、比較的簡単な構成で自動調整回路１１２を実現でき、よって、アナログフィルタ１１１と同一の半導体チップ上に自動調整回路１１２を搭載することが可能となる。
【００５７】
また、アナログフィルタ１１１と同一半導体チップ上に自動調整回路１１２を搭載することによって電源投入時、一定時間毎にアナログフィルタ１１１の調整を行なうことが可能となる。これによって回路の経時変化などによってパラメータが変わっても自動調整によって所望の周波数特性を得ることが可能となる。
【００５８】
〔その他〕
尚、本実施例では、アナログフィルタの出力信号と擬似ランダムコードとの論理演算出力をカウンタによってカウントし、カウンタのカウント値によってフィルタ調整を行う構成としたが、要はアナログフィルタと擬似ランダムコードとの相互相関値が算出できれば良く、種々の変形が適用されることは言うまでもない。例えば、ＣＣＤ（電荷結合素子）等によってアナログフィルタ出力と擬似ランダムコードの相互相関値を算出するように構成してもよい。
【００５９】
また、本実施例では、アナログフィルタ１１１としてアクティブローパスフィルタを例に説明を行なったが、アナログフィルタ１１１はローパスフィルタに限定されるものではなく、ハイパスフィルタ、バンドパスフィルタ、バンドエルミネートフィルタなど他の周波数特性のフィルタに適用することも可能である。
【００６０】
また、本実施例では、誤差値をパラメータ変換テーブル１４３によって変換したが、誤差値から計算によってパラメータ値を求めるようにしてもよい。
【図面の簡単な説明】
【００６１】
【図１】本発明の一実施例のシステム構成図である。
【図２】アナログフィルタ１１１のブロック構成図である。
【図３】可変容量回路Ｃ11の回路構成図である。
【図４】制御部１３８の調整動作フローチャートである。
【図５】本発明の一実施例の動作波形図である。
【図６】アナログフィルタ１１１のカットオフ周波数とカウンタ１３４のカウント値との関係の一例を示す図である。
【符号の説明】
【００６２】
１００  フィルタ回路
１１１  アナログフィルタ、１１２  自動調整回路
１３１  擬似ランダムビットパターン生成部、１３２  インバータ、１３３  論理回路
１３４  カウンタ、１３５  調整部、１３６，１３７  スイッチ、１３８  制御部
１４１  引算部、１４２  基準値供給部、１４３  パラメータ変換テーブル
１４４  パラメータレジスタ
【図１】
2007142755.tif 000003
【図２】
2007142755.tif 000004
【図３】
2007142755.tif 000005
【図４】
2007142755.tif 000006
【図５】
2007142755.tif 000007
【図６】
2007142755.tif 000008